(57)【要約】【課題】  梁に吊りボルトを取り付けるための、作業性の改善されたブラケットを提供すること。【解決手段】  梁の上面、下面及び一の側面を挟んでこれに固定するための、吊りボルト取り付け用ブラケットであって、該上面に当接する上側の第１の板状部と、これに平行な、該下面に当接する下側の第２の板状部と、そして第１の板状部と第２の板状部を一体に繋ぎ該側面に当接する垂直な第３の板状部とを含んでなり、第１の板状部及び第２の板状部は、双方に垂直に１本の吊りボルトを第３の板状部から少なくとも梁の幅だけ離して通すことのできる一対の貫通孔を有しており、第１の板状部及び／又は第２の板状部が、それらの間に、梁の側面を第３の板状部の内面に向けてこれに当接するまで押し込んだとき、梁の上下の後縁に係合してその後退を阻止するスナップ式固定手段を夫々の内面に供えることを特徴とする、ブラケット。【選択図】  図３
2005299124.tif 000002
【特許請求の範囲】
【請求項１】
梁の上面、下面及び一の側面を挟んでこれに固定するための、吊りボルト取り付け用ブラケットであって、該上面に当接する上側の第１の板状部と、これに平行な、該下面に当接する下側の第２の板状部と、そして第１の板状部と第２の板状部を一体に繋ぎ該側面に当接する垂直な第３の板状部とを含んでなり、第１の板状部及び第２の板状部は、双方に垂直に１本の吊りボルトを第３の板状部から少なくとも梁の幅だけ離して通すことのできる一対の貫通孔を有しており、第１の板状部及び／又は第２の板状部が、それらの間に、梁の側面を第３の板状部の内面に向けてこれに当接するまで押し込んだとき、梁の上下の後縁に係合してその後退を阻止するスナップ式固定手段を夫々の内面に供えることを特徴とする、ブラケット。
【請求項２】
該スナップ式固定手段が、梁の上下の後縁と係合するために、第１の板状部及び／又は第２の板状部の夫々の内面から立ち上がった突出面によって構成される係合部と、第３の板状部とは反対の側において、第１の板状部及び第２の板状部の夫々の縁又は該縁と該係合部の最上部までの中間位置から、該係合部の最上部に至るものであるガイドスロープとによって構成されているものである、請求項１のブラケット。
【請求項３】
該スナップ式固定手段が、直角三角形の断面形状を有しており、該ガイドスロープが、該直角三角形の斜辺に相当する面である、請求項２のブラケット。
【発明の詳細な説明】
【技術分野】
【０００１】
本発明は、施設の天井裏等に支持部材として配置される金属性の梁（Ｃバー等）に固定して、これに吊りボルトを取り付けるためのブラケットに関する。
【背景技術】
【０００２】
従来、施設の天井裏等に支持部材として配置される金属性の梁（Ｃバー等）に固定して吊りボルトを取り付けるためには、典型的には、図１に示したようなブラケット１が用いられている。すなわち、ブラケット１は、第１の板状部３、これと平行な第２の板状部４及びこれらを繋ぐ第３の板状部５を含んでなり、第１の板状部３と第２の板状部４には、吊りボルト６を垂直に通すために、それらの縁から切り欠き７が形成されている。第３の板状部５には、雌ネジが切られており、これに雄ネジを有する締め付けボルト８が取り付けられている。使用に際しては、ブラケット１の間に梁１１（図２ではＣバー）を挟み込み、上下の切り欠き７に吊りボルト６を側方から通してナット９、１０を締め付けて留め、締め付けボルト８を回してその先端で梁１１の側面を押し、吊りボルト６の側面と締め付けボルト８の先端との間で梁１１を挟みつけることによって、ブラケットは図２のように固定される。このような構造のブラケットの場合、梁１１に取り付けるには吊りボルト６が必須であるため、吊りボルト６が手元に無いときには梁に取り付けることができない。同様に、締め付けボルト８がない限り梁１１に取り付けることができない。また、締め付けボルト８を強く締め付けたままでは吊りボルト７の側面が梁１１に押し付けられているためその長さ調節が自由にできない。また、吊りボルト６の高さ調節のためにナット９、１０を緩めた場合や、ナット９、１０の締め付けが甘かった場合等には、吊りボルト６が切り込み７から側方へ抜け落ち、ブラケット１も固定が外れることとなるという問題がある。これらのため、ブラケット１の取り付けには慎重さを要し、作業性が悪かった。
【発明の開示】
【発明が解決しようとする課題】
【０００３】
本発明は、この問題を解決して、作業性の改善されたブラケットを提供することを目的とする。
【課題を解決するための手段】
【０００４】
本発明者は、締め付けボルト８を無くし、代わりに、梁（例えばＣバー）の上下の縁とスナップ式に係合して固定する固定手段を第１の板状部と第２の板状部に内側に設けることによって上記の問題を解決できることを見出し、本発明を完成させた。
【０００５】
すなわち本発明は、以下のものを提供する。
（１）梁の上面、下面及び一の側面を挟んでこれに固定するための、吊りボルト取り付け用ブラケットであって、該上面に当接する上側の第１の板状部と、これに平行な、該下面に当接する下側の第２の板状部と、そして第１の板状部と第２の板状部を一体に繋ぎ該側面に当接する垂直な第３の板状部とを含んでなり、第１の板状部及び第２の板状部は、双方に垂直に１本の吊りボルトを第３の板状部から少なくとも梁の幅だけ離して通すことのできる一対の貫通孔を有しており、第１の板状部及び／又は第２の板状部が、それらの間に、梁の側面を第３の板状部の内面に向けてこれに当接するまで押し込んだとき、梁の上下の後縁に係合してその後退を阻止するスナップ式固定手段を夫々の内面に供えることを特徴とする、ブラケット。
（２）該スナップ式固定手段が、梁の上下の後縁と係合するために、第１の板状部及び／又は第２の板状部の夫々の内面から立ち上がった突出面によって構成される係合部と、第３の板状部とは反対の側において、第１の板状部及び第２の板状部の夫々の縁又は該縁と該係合部の最上部までの中間位置から、該係合部の最上部に至るものであるガイドスロープとによって構成されているものである、上記１のブラケット。
（３）  該スナップ式固定手段が、直角三角形の断面形状を有しており、該ガイドスロープが、該直角三角形の斜辺に相当する面である、上記２のブラケット。
【発明の効果】
【０００６】
上記構成になる本発明のブラケットは、梁に側方から嵌めて、梁の上下の後縁がスナップ式の固定手段を乗り越えるまで押し付けるだけで、簡単に梁に固定することができ、ブラケット自体の固定には他の部材を全く必要としないため、作業性が改善される。
【発明を実施するための最良の形態】
【０００７】
本発明において、「梁」とは、建物の天井に、照明器具、防煙垂れ壁、ビデオプロジェクター、ビデオカメラ、スピーカー、ダクトその他の設備を取り付けるための支持構造物を構成するための各種のバー材をいい、断面Ｃ字状（「コ」の字状）の所謂Ｃバーや、各パイプ補強材、Ｍバー等が挙げられる。
【０００８】
本発明において、固定手段の係合部は、第１の板状部及び第２の板状部の内面から、０．５〜２ｍｍ程度立ち上がったものであれば、ブラケットの取り付けには充分である。係合部と第３の板状部との間の水平距離は、ブラケットを取り付けようとする梁の横方向の幅と一致させればよく、そのような梁の寸法に応じて決定される。第１の板状部の内面と第２の板状部の内面との間の距離も、ブラケットを取り付けようとする梁の縦方向の幅と一致させればよい。ガイドスロープは、第１の板状部と第２の板状部の間に横方向から第３の板状部に向けて押し込まれる梁が、その上面及び下面においてガイドスロープ上をスライドしつつブラケットを容易に押し広げて係合部の最上部を通過することができるよう、比較的緩やかな傾斜を有することが好ましい。この傾斜は、好ましくは、嵌め込まれる梁の進行方向（水平方向）に対して好ましくは４０°以下、より好ましくは３０°以下、更に好ましくは２５°以下である。ガイドスロープは、第１の板状部及び第２の板状部の縁から係合部の最上部まで延びるものであっても、また、係合部の高さとガイドスロープの傾斜の角度に応じ、縁と係合部の最上部に至るまでの途中の位置から起こるものであってもよい。簡便には、ガイドスロープは、横断面が直角三角形でその斜辺がガイドスロープに相当するように構成すればよい。固定手段は、第１の板状部及び／又は第２の板状部の長さ方向（すなわち、取り付けられる梁の長さ方向）に全長にわたって（但し夫々の貫通孔と重なる部分があれば当該部分を除き）延びるものとするのが便利であるが、長さ方向の一部のみに設けてもよい。
【０００９】
ブラケットは、適宜の金属で製造すればよく、軽さ、強度、梁に嵌め込む際に必要な弾性、及び錆び難さの点から、アルミニウムは特に好ましい材料である。
【実施例１】
【００１０】
以下、典型的な一実施例を参照して本発明を更に具体的に説明するが、本発明が実施例に限定されることは意図しない。
【００１１】
図３は、本発明の一実施例のブラケット２１の斜視図であり、図４及び５は、それぞれブラケット２１の側面図及び平面図である。ブラケット２１は、アルミニウム製であり、水平に配置される第１の板状部２３及び第２の板状部２４、並びにこれらに垂直な第３の板状部２５を有する。第１の板状部２３及び第２の板状部２４は、それぞれ垂直方向の同じ位置に貫通孔２６を有し、図ではそれらの環通孔２６には吊りボルト２７が通されている。吊りボルト２７は、上下のナット２８、２９によってブラケット２１に固定される。この例では、吊りボルト２７の下端には、下方に配置される部材に嵌めて吊り下げるためのプレート３０が固定されている。
【００１２】
第１の板状部２３と第２の板状部２４の内面には、梁の縁に係合させてブラケット２１をこれに固定するための固定手段３１、３２が夫々備えられている。固定手段は、夫々の板状部２３、２４の内面から立ち上がった係合部３３、３５と、板状部の内面（水平面）に対して傾斜を有するガイドスロープ３４、３６とによって構成されている。図４においては、ブラケット２１の肉厚は２．５ｍｍ、水平方向の幅は３５ｍｍ、高さは４３．５ｍｍであり、係合部の高さは１ｍｍ、ガイドスロープ３４の傾斜角度は水平に対して２０°である。また、第３の板状部２５の内面と係合部３３との水平距離は１３ｍｍである。
【００１３】
図６は、ブラケット２１に梁（Ｃバー）４０をはめ込む工程の側面図である。第１の板状部２３及び第２の板状部２４の間に側方から梁４０をスライドさせて入れると、梁の前縁４１及び４２がガイドスロープ３６、３４上に乗り上げ、固定手段３１と３２の間隔を押し広げてそれらの上をスライドし、梁４０の後縁４３、４４がこれらを乗り越えたとき、固定手段３１と３２の間隔が弾性により復帰し、梁４０は固定される。図７は、梁４０のブラケット２１が固定された状態を示す側面図である。本発明のブラケットは、このようにして、簡便に梁に取り付けることができ、取り付けに吊りボルトを必要としないから、梁に先に取り付けておき、後から吊りボルトをこれに取り付ける等、作業の必要性に応じて合理的な手順を組むことを容易にする。図８は、プレートの吊り下げのためのブラケット２１の使用の一例を示す斜視図である。
【産業上の利用可能性】
【００１４】
本発明によれば、梁に吊りボルト取り付けるための作業性に優れたブラケットを提供することができる。
【図面の簡単な説明】
【００１５】
【図１】従来の吊りボルト取り付け用ブラケットの斜視図
【図２】従来の吊りボルト取り付け用ブラケットを梁に取り付けた状態の斜視図
【図３】本発明のブラケットの斜視図
【図４】本発明のブラケットの側面図
【図５】本発明のブラケットの平面図
【図６】梁に嵌めつつある状態の本発明のブラケットの側面図
【図７】梁に固定された状態の本発明のブラケットの側面図
【図８】本発明のブラケットの使用の一例を示す斜視図
【符号の説明】
【００１６】
〔先行技術〕
１＝ブラケット、３＝第１の板状部、４＝第２の板状部、５＝第３の板状部、６＝吊りボルト、８＝締め付けボルト、９及び１０＝ナット、１１＝梁、
〔本発明〕
２１＝ブラケット、２３＝第１の板状部、２４＝第２の板状部、２５＝第３の板状部、２６＝貫通孔、２７＝吊りボルト、２８及び２９＝ナット、３１及び３２＝固定手段、３３＝係合部、３４＝ガイドスロープ、３５＝係合部、３６＝ガイドスロープ、４０＝梁（Ｃバー）、
【図１】
2005299124.tif 000003
【図２】
2005299124.tif 000004
【図３】
2005299124.tif 000005
【図４】
2005299124.tif 000006
【図５】
2005299124.tif 000007
【図６】
2005299124.tif 000008
【図７】
2005299124.tif 000009
【図８】
2005299124.tif 000010